(57)【要約】      （修正有）【課題】バッテリを浪費せず、手軽に音楽を聞くこと。【解決手段】スピーカと、ダウンロードして記録した音楽データをヘッドフォンで聞くことができる携帯端末装置を、装着するためのコネクタと、携帯端末装置に記録されている音楽データを、コネクタを介してスピーカから出力するためのアンプと、携帯端末装置に電源を供給するための電源回路と、再生中の音楽データに関する情報を表示するためのディスプレイとを備える。【選択図】図１
2009134301.tif 000002
【特許請求の範囲】
【請求項１】
スピーカと、
ダウンロードして記録した音楽データをヘッドフォンで聞くことができる携帯端末装置を、装着するためのコネクタと、
前記携帯端末装置に記録されている前記音楽データを、前記コネクタを介して前記スピーカから出力するためのアンプと、
前記携帯端末装置に電源を供給するための電源回路と、
再生中の前記音楽データに関する情報を表示するためのディスプレイと、
を備えることを特徴とした音楽出力装置。
【請求項２】
前記携帯端末装置に記録されている前記音楽データを恒久的に取り込むことなく、前記音楽データを前記スピーカから出力することを特徴とした請求項１記載の音楽出力装置。
【請求項３】
前記コネクタは、前記電源回路から前記携帯端末装置に電源を供給するための電源供給端子と、前記携帯端末装置のヘッドフォン端子とは別個に設けられ、前記携帯端末装置に記憶されている前記音楽データを前記スピーカから出力するための出力端子とを備えることを特徴とした請求項１又は２に記載の音楽出力装置。
【請求項４】
前記音楽出力装置の本体には、前記携帯端末装置を装着するためのソケット部が設けられ、前記コネクタは前記ソケット部に設けられていることを特徴とする請求項１ないし３のいずれかに記載の音楽出力装置。
【請求項５】
前記携帯端末装置に記録されている前記音楽データを前記スピーカから出力するために、前記出力端子を介して前記携帯端末装置を制御する操作パネルを更に備えることを特徴した請求項３又は４に記載の音楽出力装置。
【発明の詳細な説明】
【技術分野】
【０００１】
この発明は音楽出力装置および音楽再生システムに関し、特にたとえば携帯電話機から再生された音楽データをスピーカから出力する、音楽出力装置および音楽再生システムに関する。
【背景技術】
【０００２】
従来のこの種の音楽出力装置は、いわゆるミニコンポやコンポなどのオーディオ機器であり、カセットテープ、コンパクトディスク（ＣＤ）およびミニディスク（ＭＤ）などに記録された歌や演奏などの音楽を再生することができる。また、このようなオーディオ機器には、アンプが設けられており、カセットテープ、ＣＤおよびＭＤで再生された再生信号がアンプで増幅等され、スピーカから出力されていた。
【先行技術文献】
【特許文献】
【０００３】
【特許文献１】特開平１１−２５９９７１号公報
【発明の概要】
【発明が解決しようとする課題】
【０００４】
近年、携帯電話機を用いて音楽データをダウンロードすることが注目されており、このような携帯電話機では、音楽データの著作権の保護の問題により、ダウンロードした音楽データを携帯電話機で再生可能となっている。したがって、従来技術のオーディオ機器では、携帯電話機にダウンロードした音楽データを再生することができなかった。また、携帯電話機で再生が可能であるため、その携帯電話機に装着されたバッテリ（２次電池）を浪費してしまい、携帯電話機で通話可能な時間を圧迫してしまうという問題があった。さらに、携帯電話機で再生した音楽データは携帯電話機に接続したヘッドフォンから出力されるため、屋内や車中で音楽を聞く場合にもヘッドフォンを装着しなければならなかった。特に車中で音楽を聞く場合には、周囲の音を聞き取ることを妨げるため、大変危険であった。
【０００５】
それゆえに、この発明の主たる目的は、バッテリを浪費せず、手軽に音楽を聞くことができる、音楽出力装置を提供することである。
【課題を解決するための手段】
【０００６】
第１発明の音楽出力装置は、たとえば携帯電話機から再生された音楽データをスピーカから出力する。具体的には、スピーカと、ダウンロードして記録した音楽データをヘッドフォンで聞くことができる携帯端末装置を、装着するためのコネクタと、前記携帯端末装置に記録されている前記音楽データを、前記コネクタを介して前記スピーカから出力するためのアンプと、前記携帯端末装置に電源を供給するための電源回路と、再生中の前記音楽データに関する情報を表示するためのディスプレイと、を備える。
【０００７】
また、前記携帯端末装置に記録されている前記音楽データを恒久的に取り込むことなく、前記音楽データを前記スピーカから出力することが望ましい。
【０００８】
また、前記コネクタは、前記電源回路から前記携帯端末装置に電源を供給するための電源供給端子と、前記携帯端末装置のヘッドフォン端子とは別個に設けられ、前記携帯端末装置に記憶されている前記音楽データを前記スピーカから出力するための出力端子とを備えることが望ましい。
【０００９】
また、前記音楽出力装置の本体には、前記携帯端末装置を装着するためのソケット部が設けられ、前記コネクタは前記ソケット部に設けられていることが望ましい。
【００１０】
また、前記携帯端末装置に記録されている前記音楽データを前記スピーカから出力するために、前記出力端子を介して前記携帯端末装置を制御する操作パネルを更に備えることが望ましい。
【発明の効果】
【００１１】
この発明によれば、携帯端末装置に電源を供給しながら音楽データをスピーカから出力することができるので、携帯端末装置のバッテリを浪費することなく、手軽に音楽を聞くことができる。
【図面の簡単な説明】
【００１２】
【図１】この発明の一実施例を示す図解図である。
【図２】図１実施例に示す携帯電話機を示す図解図である。
【図３】図１および図２に示す携帯電話機の電気的な構成を示す図解図である。
【図４】図３に示すメモリカードの構成を示す図解図である。
【図５】図１実施例に示す音楽出力装置を示す図解図である。
【図６】図１および図５に示す音楽出力装置の電気的な構成を示す図解図である。
【図７】ダウンロードシステムを示す図解図である。
【図８】図７に示すメニューサーバの構成を示す図解図である。
【図９】図７に示すダウンロードサーバの構成を示す図解図である。
【図１０】図７に示すダウンロードサーバから実際に音楽データをメモリカード内にダウンロードする場合のコントローラ３４、コントローラ６０、ＣＰＵ１４０ａおよびＣＰＵ１５０ａの処理の一部を示すフロー図である。
【図１１】図７に示すダウンロードサーバから実際に音楽データをメモリカード内にダウンロードする場合のコントローラ３４、コントローラ６０、ＣＰＵ１４０ａおよびＣＰＵ１５０ａの処理の他の一部を示すフロー図である。
【図１２】図７に示すダウンロードサーバから実際に音楽データをメモリカード内にダウンロードする場合のコントローラ３４、コントローラ６０、ＣＰＵ１４０ａおよびＣＰＵ１５０ａの処理のその他の一部を示すフロー図である。
【図１３】図７に示すダウンロードサーバから実際に音楽データをメモリカード内にダウンロードする場合のコントローラ３４、コントローラ６０、ＣＰＵ１４０ａおよびＣＰＵ１５０ａの処理のさらに一部を示すフロー図である。
【図１４】図７に示すダウンロードサーバから実際に音楽データをメモリカード内にダウンロードする場合のコントローラ３４、コントローラ６０、ＣＰＵ１４０ａおよびＣＰＵ１５０ａの処理の他の一部を示すフロー図である。
【図１５】図７に示すダウンロードサーバから実際に音楽データをメモリカード内にダウンロードする場合のコントローラ３４、コントローラ６０、ＣＰＵ１４０ａおよびＣＰＵ１５０ａの処理のその他の一部を示すフロー図である。
【図１６】図３に示す携帯電話機の再生回路の構成を示す図解図である。
【図１７】図３に示す携帯電話機を用いてメモリカードにダウンロードされた音楽データの再生処理の一部を示すフロー図である。
【図１８】図３に示す携帯電話機を用いてメモリカードにダウンロードされた音楽データの再生処理の他の一部を示すフロー図である。
【図１９】ハンズフリー機能を付加した場合の音楽再生システムを示す図解図である。
【図２０】図１９に示す音楽再生システムに適用される携帯電話機の電気的な構成を示す図解図である。
【図２１】図１９に示す音楽再生システムに適用される音楽出力装置の電気的な構成を示す図解図である。
【発明を実施するための形態】
【００１３】
この発明の上述の目的，その他の目的，特徴および利点は、図面を参照して行う以下の実施例の詳細な説明から一層明らかとなろう。
【実施例】
【００１４】
図１を参照して、この実施例の音楽再生システム１０は、携帯電話機１２を含み、携帯電話機１２は音楽出力装置１４に装着される。携帯電話機１２は、図２（Ａ）に示すように、アンテナ１６がたとえば本体１２ａに収納可能に設けられる。また、携帯電話機１２の表面には、操作パネル１８およびディスプレイ２０が設けられる。さらに、携帯電話機１２の表面には、マイク２２およびスピーカ２４が設けられる。
【００１５】
また、図２（Ｂ）に示すように、携帯電話機１２の裏面には、バッテリ（２次電池）２６が装着される。さらに、携帯電話機１２の裏面の下端部には、コネクタ２８が設けられ、コネクタ２８は端子２８ａ〜２８ｆを含む。端子２８ａおよび端子２８ｆは電源供給用（充電用）の端子であり、この実施例では、端子２８ａが＋端子であり、端子２８ｆが−端子である。また、端子２８ｂおよび端子２８ｃはデータや制御信号を送受信するための端子である。さらに、端子２８ｄは再生信号（音楽）のＲ（右）チャネルを送信するための端子であり、端子２８ｅは再生信号（音楽）のＬ（左）チャネルを送信するための端子である。
【００１６】
このような携帯電話機１２の電気的な構成は図３のように示される。具体的には、携帯電話機１２は送受信回路３０を含み、送受信回路３０にはアンテナ１６が接続される。また、送受信回路３０は、内部バス（以下、単に「バス」という。）３２を介してコントローラ３４に接続される。たとえば、利用者が操作パネル１８を用いて所望の通話相手の電話番号を入力すると、これに応答してコントローラ３４がドライバ３６を制御し、ディスプレイ２０に電話番号を表示する。続いて、利用者が操作パネル１８を用いて発呼を指示すると、コントローラ３４は発呼処理を実行する。したがって、接続状態が確立され、コントローラ３４は通話処理を実行する。つまり、通話相手の音声データがアンテナ１６で受信され、送受信回路３０を介してコントローラ３４に取り込まれ、その後、バス３２を介して音声処理回路４８で受話信号として再生され、スピーカ２４から出力される。一方、利用者の音声信号（送話信号）は、マイク２２から入力され、音声処理回路４８およびバス３２を介してコントローラ３４に取り込まれ、その後、バス３２および送受信回路３０を介してアンテナ１６から送信される。
【００１７】
また、アンテナを介して通話相手からの着呼があると、コントローラ３４は、音声処理回路４８を制御して、スピーカ２４から着信音または着信メロディを出力する。利用者は、着信音または着信メロディによって“着信（着呼）あり”を認識し、操作パネル１８を用いて着信操作を入力する。そして、接続状態が確立されると、コントローラ３４は上述のような通話処理を実行する。
【００１８】
携帯電話機１２はまた、タイマ３８を含み、タイマ３８から出力される時間情報に基づいて、コントローラ３４はドライバ３６を制御し、したがってディスプレイ２０に暦（日付）や時間等が表示される。
【００１９】
携帯電話機１２はさらに、インターフェイス４０および再生回路４６を含み、インターフェイス４０および再生回路４６はバス３２を介してコントローラ３４に接続される。インターフェイス４０は、本体１２ａに着脱可能なメモリカード４２と接続される。したがって、利用者が操作パネル１８を用いて再生を指示すると、これに応じてコントローラ３４が再生処理を実行する。つまり、メモリカード４２に記憶された音楽データを読み出し、これを再生回路４６が再生し、端子５２を介して後述するヘッドフォン１３４に出力する。なお、端子５２はステレオ用の端子であり、再生回路４６からはＲチャネルおよびＬチャネルの音楽の再生信号が出力される。
【００２０】
また、再生回路４６で再生された再生信号はコネクタ２８の端子２８ｄおよび２８ｅに与えらえる。したがって、図１に示すように、携帯電話機１２が音楽出力装置１４に装着されている場合には、再生信号はコネクタ２８を介して音楽出力装置１４に与えられる。また、コネクタ２８には、インターフェイス５０が接続される。正確には、端子２８ｂおよび端子２８ｃがインターフェイス５０に接続される。このインターフェイス５０は、バス３２を介してコントローラ３２に接続される。したがって、コントローラ３４から出力される制御信号がバス３２およびインターフェイス５０を介してコネクタ２８に与えられ、コネクタ２８から音楽出力装置１４に与えられる。一方、コネクタ２８には、音楽出力装置１４からの制御信号が入力され、その制御信号がインターフェイス５０およびバス３２を介してコントローラ３４に与えられる。
【００２１】
また、携帯電話機１２はバッテリ２６を含み、バッテリ２６は電圧制御回路５４に接続され、また電圧制御回路５４はコネクタ２８に接続される。正確には、端子２８ａおよび端子２８ｆが電圧制御回路５４に接続される。バッテリ２６は、図示は省略するが、携帯電話機１２内の各回路に電源を供給する。電圧制御回路５４は、バッテリ２６の充電時にバッテリ２６の充電量を検出し、バッテリ２６の充電が完了すると、電源の供給を停止させる。
【００２２】
図４を参照して、メモリカード４２はコントローラ６０を含み、コントローラ６０は、バス６２を介してメモリ６４、ライセンスメモリ６６および鍵メモリ６８に接続される。メモリ６４は、音楽データなど著作権によって保護されたデータ（コンテンツデータ）を暗号化したデータと自由にやりとりできるデータとを記憶する。また、ライセンスメモリ６６は、コンテンツ復号鍵などの著作権を保護するために必要なデータ、すなわち暗号化したコンテンツデータの再生に必要なライセンスデータを記憶する。さらに、鍵メモリ６８は、ライセンスデータの授受の際に行う相互認証（暗号）処理に用いるための鍵を記憶する。
【００２３】
図５（Ａ）を参照して、音楽出力装置１４は本体１４ａを含み、本体１４ａにはスピーカ７０ａおよび７０ｂが接続される。本体１４ａの前面左方には、ディスプレイ７２が設けられ、その下方に操作パネル７４が設けられる。また、本体１４ａの前面右方には、上述の携帯電話機１２を装着するためのソケット部７６が設けられる。図５（Ｂ）はソケット部７６のみの斜視図であり、ソケット部７６は携帯電話機１２の下部を受け入れるための窪み７８を含む。この窪み７８にはコネクタ８０が設けられ、コネクタ８０は端子８０ａ〜８０ｆを含む。端子８０ａ〜８０ｆのそれぞれは、たとえば板バネで形成されており、携帯電話機１２を装着したときに、携帯電話機に設けられた端子２８ａ〜２８ｆのそれぞれと接続される。
【００２４】
また、端子８０ａおよび端子８０ｆは電源供給用の端子であり、この実施例では、端子８０ａが＋端子であり、端子８０ｆが−端子である。また、端子８０ｂおよび端子８０ｃはデータや制御信号を送受信するための端子である。さらに、端子８０ｄは音楽の再生信号のＲチャネルを受信する端子であり、端子８０ｅは音楽の再生信号のＬチャネルを受信する端子である。  したがって、携帯電話機１２と音楽出力装置１４との間でデータや制御信号のやりとりが可能であり、また、携帯電話機１２から出力された音楽の再生信号を受け取ることが可能である。さらに、音楽出力装置１４から携帯電話機１２に電源を付与することができる。
【００２５】
このような音楽出力装置１４の電気的な構成は、図６のように示される。音楽出力装置１４はコントローラ９０を含み、コントローラ９０はバス９２を介してドライバ９４に接続される。このドライバ９４には、ディスプレイ７２が接続される。ディスプレイ７２は、図５（Ａ）に示すように、再生中の音楽のタイトル名やアーティスト名などを表示することができる。また、コントローラ９０はバス９２を介して操作パネル７４と接続され、操作パネル７４には、再生（一時停止）ボタン７４ａ、早送り（ＦＦ）ボタン７４ｂ、巻き戻し（ＦＲ）ボタン７４ｃ、ボリュームアップボタン７４ｄおよびボリュームダウンボタン７４ｅが設けられる。このいずれかのボタンが操作されると、押されたボタンに対応する指示がバス９２を介してコントローラ９０に与えられる。これに応答して、コントローラ９０は、音声出力装置１４内の各回路を制御等する。
【００２６】
音声出力装置１４はまた、インターフェイス９６を含み、インターフェイス９６はバス９２を介してコントローラ９０に接続される。また、インターフェイス９６はコネクタ８０に接続される。正確には、コネクタ８０に含まれる端子８０ｂおよび８０ｃに接続される。したがって、コネクタ８０を介して入力される制御信号およびデータをコントローラ９０に入力することができ、またコントローラ９０から出力される制御信号をコネクタ８０を介して出力することができる。
【００２７】
音声出力装置１４はさらに、充電制御回路９８および電源回路１００を含み、電源回路１００は充電制御回路９８を介してコネクタ８０に接続される。正確には、充電制御回路９８は、コネクタ８０に含まれる端子８０ａおよび８０ｆに接続される。充電制御回路９８は携帯電話機１２に装着されたバッテリ２６を充電するときにバッテリ２６に付与する電圧を制御するための回路である。また、電源回路１００は、図示は省略するが、音声出力装置１４内の各回路に電源を付与する。なお、電源回路１００にはたとえば商用電源が与えられ、電源回路１００は商用電源を降圧および整流し、各回路に直流電圧を付与する。
【００２８】
また、コネクタ８０にはアンプ１０２ａおよび１０２ｂが接続され、アンプ１０２ａおよび１０２ｂはコネクタ８０の端子８０ｄおよび端子８０ｅを介して入力されるＲチャネルおよびＬチャネルの再生信号をそれぞれ増幅し、それぞれに対応して設けらえたバンドパスフィルタ（ＢＰＦ）１０４ａおよび１０４ｂに与える。ＢＰＦ１０４ａおよび１０４ｂは、所定の周波数範囲を越える高域成分および低域成分を除去し、高域成分および低域成分が除去された再生信号を出力する。
【００２９】
ＢＰＦ１０４ａおよび１０４ｂから出力されたＲチャネルおよびＬチャネルの再生信号は、ゲイン制御回路１０６を介してアンプ１０８ａおよび１０８ｂにそれぞれ入力される。アンプ１０８ａおよび１０８ｂはゲイン制御回路１０６によってゲインを調整され、その増幅度が調整される。つまり、コントローラ９０から出力された音量を調整するための制御信号がバス９２を介してディジタル−アナログ変換器（ＤＡＣ）１１０に与えられ、アナログ信号に変換された制御信号がゲイン制御回路１０６に与えられる。したがって、アンプ１０８ａおよび１０８ｂのゲインが調整される。なお、この実施例では、携帯電話機１２側の再生回
路４６から出力される再生信号の音量は最大に設定される。
【００３０】
たとえば、ボリュームアップボタン７４ｄが操作されると、その指示がコントローラ９０に与えられ、これに応じてコントローラ９０はＤＡＣ１１０に音量を上げるための制御信号を出力する。したがって、アナログ信号に変換された音量を上げるための制御信号がゲイン制御回路１０６に与えられ、したがってアンプ１０８ａおよびアンプ１０８ｂの増幅量が大きくされる。また、ボリュームダウン路ボタン７４ｅが操作されると、その指示がコントローラ９０に与えられ、これに応じてコントローラ９０はＤＡＣ１１０に音量を下げるための制御信号を出力する。したがって、アナログ信号に変換された音量を下げるための制御信号がゲイン制御回路１０６に与えられ、したがってアンプ１０８ａおよびアンプ１０８ｂの増幅量が小さくされる。このようにして、ゲイン制御回路１０６によってアンプ１０８ａおよび１０８ｂの増幅量が調整され、増幅されたＲチャネルおよびＬチャネルの再生信号がスピーカ７０ａおよび７０ｂのそれぞれから出力される。つまり、ステレオの音楽を聞くことができる。
【００３１】
たとえば、音楽再生システム１０では、携帯電話機１２と音楽出力装置１４とがコネクタ２８およびコネクタ８０で接続されるため、携帯電話機１２で再生されたＲチャネルおよびＬチャネルの再生信号はコネクタ２８から音声出力装置１４に与えられる。つまり、ＲチャネルおよびＬチャネルの再生信号は、端子８０ｄおよび端子８０ｅのそれぞれを介して、アンプ１０２ａおよびアンプ１０２ｂのそれぞれに与えられる。したがって、ＲチャネルおよびＬチャネルの再生信号は、増幅等の処理を施され、スピーカ７０ａおよび７０ｂから出力される。つまり、ヘッドフォン１３４を装着せずに音楽を聞くことができる。
【００３２】
また、音楽データの再生等の指示は、携帯電話機１２に設けられた操作パネル１８または音楽再生装置１４設けられた操作パネル７４を用いて入力することができる。たとえば、携帯電話機１２では、操作パネル１８を用いて再生の指示を入力すると、これに応じてコントローラ３４等が再生処理を実行する。また、再生中に操作パネル１８に設けられたＦＦボタン（図示せず）やＦＲボタン（図示せず）が操作された場合には、早送り再生および巻き戻し再生が可能である。また、操作パネル１８に設けられた一時停止ボタン（図示せず）や停止ボタン（図示せず）を操作すると、再生を一時停止したり、停止することも可能である。このような操作ボタンは、再生時において携帯電話機１２の操作パネル１８に設けられたテンキーなどの数字ボタンに割り振られる。
【００３３】
また、操作パネル１８にボリュームアップおよびボリュームダウンのボタンを設ければ、携帯電話機１２の操作パネル１８を操作して、音声出力装置１４のボリュームを調整することができる。ただし、上述したように、再生時では、再生回路４６から出力される音楽の再生信号の音量（ボリューム）は最大に設定されているため、再生回路４６におけるボリュームが変化することはない。
【００３４】
具体的には、操作パネル１８に設けられたボリュームアップのボタンが操作されると、その指示にがコントローラ３４に与えられる。これに応じてコントローラはボリュームアップの制御信号をバス３２、インターフェイス５０およびコネクタ２８を介して音楽出力装置１４に与える。したがって、コネクタ８０から入力された制御信号がインターフェイス９６およびバス９２を介してコントローラ９０に与えられる。そして、コントローラ９０は、ボリュームアップの制御信号をバス９２を介してＤＡＣ１１０に与える。したがって、ゲイン制御回路１０６によってアンプ１０８ａおよびアンプ１０８ｂのゲインが調整され、音量が大きくされる。なお、ボリュームダウンのボタンを操作した場合も、同じように制御信号がコントローラ９０に与えられ、音量を調整することができる。
【００３５】
一方、音楽出力装置１４に設けられた再生（一時停止）ボタン７４ａが操作されると、再生指示がバス９２を介してコントローラ９０に与えられ、その後コントローラ９０からインターフェイス９６およびコネクタ８０を介して携帯電話機１２側に送信される。携帯電話機１２では、再生指示はコネクタ２８、インターフェイス５０およびバス３２を介してコントローラ３４に与えられる。したがって、再生処理が実行される。
【００３６】
なお、音楽出力装置１４の操作パネル７４に設けられたＦＦボタン７４ｂやＦＲボタン７６ｃが操作された場合にも、同様に、早送り再生や巻き戻し再生の指示が音楽出力装置１４から携帯電話機１２に与えられる。
【００３７】
また、音楽出力装置１４にリモコン受信回路（図示せず）を設け、リモコン送信機（図示せず）で操作可能にすれば、簡単に再生等の指示を入力することができる。
【００３８】
さらに、電源回路１００から充電制御回路９８を介してコネクタ８０すなわち端子８０ａおよび端子８０ｆに電圧が付与される。したがって、携帯電話機１２では、この電圧がコネクタ２８すなわち端子２８ａおよび端子２８ｆに与えられ、電圧制御回路５４を介してバッテリ２６に与えられる。つまり、再生に必要な電源が供給されるので、再生によるバッテリ２６の浪費を防止することができる。また、音楽データを再生していない場合には、バッテリ２６を充電することもできる。
【００３９】
たとえば、上述したような携帯電話機１２では、図７に示すようなダウンロードシステム１２０でコンテンツデータ（音楽データ）をダウンロードすることができる。ダウンロードシステム１２０は携帯電話機１２を含み、携帯電話機１２は無線基地局１２２および携帯電話網１２４を介して配信サーバ１２６に接続することができる。配信サーバ１２６は、メニューサーバ１２８、ダウンロードサーバ１３０および認証サーバ１３２を含む。
【００４０】
メニューサーバ１２８は、図８に示すようにな構成であり、パーソナルコンピュータやワークステーションなどのコンピュータ１４０を含み、コンピュータ１４０は通信装置１４２およびＨＤＤ（ハードディスクドライブ）１４４に接続される。通信装置１４２は、コンピュータ１４０に設けられたＣＰＵ１４０ａの指示に従って、携帯電話網１２４および無線基地局１２２を介して携帯電話機１２と接続を確立できる。また、ＨＤＤ１４４には、複数の音楽データのタイトル名およびアーチスト名を一覧表示するためのメニューデータおよび複数のコンテンツデータ（この実施例では、音楽データ）のそれぞれに対応してダウンロードに必要な複数の情報（ダウンロード情報）が記憶される。このメニューデータおよびダウンロード情報は、ＣＰＵ１４０ａの指示に従ってＨＤＤ１４４から読み出され、通信装置１４２を介して携帯電話機１２に送信される。つまり、携帯電話機１２は通信基地局１２２および携帯電話網１２４を介してメニューサーバ２２にアクセスする。したがって、音楽データの一覧すなわちメニューデータおよび所望の音楽データに対応するダウンロード情報を取得（ダウンロード）することができる。
【００４１】
ここで、ダウンロード情報とは、音楽データの識別情報（コンテンツＩＤ）、利用者側からのライセンスに対する購入条件および音楽データのダウンロード先（ダウンロードサーバ）のアクセスポイント(DAP) にアクセスするための電話番号やＵＲＬなどの接続情報（DAP-TEL)をいう。
【００４２】
また、図９を参照して、ダウンロードサーバ１３０は、上述のメニューサーバ１２８と同じ構成であり、コンピュータ１５０を含む。コンピュータ１５０は、通信装置１５２およびＨＤＤ１５４に接続される。通信装置１５２は、コンピュータ１５０に設けられたＣＰＵ１５０ａの指示に従って、携帯電話網１２４および無線基地局１２２を介して携帯電話機１２と接続を確立できる。また、ＨＤＤ１５４には、複数の暗号化された音楽データとそれぞれに対応したライセンス鍵とが記憶され、ＣＰＵ１５０ａの指示に従って、所望の暗号化された音楽データとライセンス鍵とが読み出され、通信装置１５２を介して携帯電話機１２に送信される。つまり、携帯電話機１２は通信基地局１２２および携帯電話網１２４を介してダウンロードサーバ１３０にアクセスし、所望の暗号化された音楽データおよびそれに対応するラインセンス鍵とをダウロードすることができる。
【００４３】
たとえば、利用者が操作パネル１８を用いて音楽データのダウンロードするための指示を入力すると、たとえばメニューサーバ１２８のアクセスポイント(MAP) への接続情報（MAP-TEL)を入力し、発呼操作を実行すると、携帯電話機１２とメニューサーバ１２８との間で接続が確立される。
【００４４】
したがって、メニューデータがメニューサーバ１２８から携帯電話機１２に送信される。このメニューデータは、たとえばカラオケの選曲のために使用する本のような歌手名別またはタイトル名別で音楽データを検索できる一覧表である。
【００４５】
なお、このようなメニューデータでは、その量が膨大であるため、この実施例では、利用者の指示に従って所定量ずつメニューデータが送信され、逐次メニューがディスプレイ２０に表示される。
【００４６】
利用者が操作パネル１８を用いてメニューから所望の音楽データを選択すると、その選択結果がメニューサーバ１２８に送信される。これに応じてメニューサーバ１２８は選択された音楽データのダウンロード情報を携帯電話機１２に送信する。したがって、携帯電話機１２は、ダウンロード情報に従って所望の音楽データをダウンロードサーバ１３０からダウンロードできる。
【００４７】
具体的なダウンロード処理は、図１０〜図１５に示すフロー図で表される。なお、このような著作権で保護された音楽データをダウンロードする場合には、その著作権の権利者に対して著作料を支払う必要がある。また、ダウンロード後の音楽データを自由にやりとりされてしまっては著作権の保護に欠けるという問題もある。このような問題等を回避するため、発明者等が先に出願した特願平１１−３４５２２９号に詳細に示された処理に基づいて音楽データのダウンロード処理を説明する。
【００４８】
また、携帯電話機１２を介して、メモリカード４２と配信サーバ１２６とが互いに通信し合うことにより、かかるダウンロード処理が実行されため、図面においては、コントローラ３４、コントローラ６０およびＣＰＵ１４０ａ（またはＣＰＵ１５０ａ）のそれぞれの処理を分かり易く示すために、点線で仕切を設けている。
【００４９】
利用者の指示に従ってダウンロード処理が開始されると、まず、コントローラ３４は、ステップＳ１でメニューサーバ２２のアクセスポイント(MAP) への接続情報(MAP-TEL) をダイヤルする。続くステップＳ３では、コントローラ３４は、接続が確立したかどうかを判断する。ステップＳ３で“ＮＯ”であれば、つまり接続が確立しなければ、ステップＳ１に戻って、ダイヤルをし直す。一方、ステップＳ３で“ＹＥＳ”であれば、つまり接続が確立すれば、ステップＳ５でＣＰＵ１４０ａは所定量のメニューデータを送信する。
【００５０】
したがって、ステップＳ７で、コントローラ３４は、メニューデータを受信し、ステップＳ９でドライバ３６を制御して、ディスプレイ２０にメニューを表示する。つまり、ディスプレイ２０には、歌手名別またはタイトル別に５０音順で区分けされた一覧表が表示される。続いて、コントローラ３４は、ステップＳ１１で、選曲があるかどうかを判断する。つまり、操作パネル１８に設けられた決定ボタン（図示せず）が押されたかどうかを判断する。ステップＳ１１で“ＹＥＳ”であれば、つまり決定ボタンが押されれば、図１１に示すステップＳ１９に進む。
【００５１】
一方、ステップＳ１１で“ＮＯ”であれば、つまり決定ボタンが押されなければ、コントローラ３４はステップ１３で次のメニュー表示の指示があるかどうかを判断する。つまり、操作パネル１８に設けられた次頁ボタン（図示せず）が押されたかどうかを判断する。ステップＳ１３で“ＮＯ”であれば、つまり次頁ボタンが押されなければ、そのままステップＳ１１に戻る。一方、ステップＳ１３で“ＹＥＳ”であれば、つまり次頁ボタンが押されれば、ステップＳ１５で次のメニューデータの送信要求を送信する。したがって、ＣＰＵ１４０ａは、ステップＳ１７でメニューデータの送信要求を受信し、これに応じて、ステップＳ５で次のメニューデータの送信を実行する。
【００５２】
図１１に示すステップＳ１９では、コントローラ３４は購入条件の入力があるかどうかを判断する。つまり、再生条件（再生回数など）が入力されたかどうかを判断する。ステップＳ１９で“ＹＥＳ”であれば、つまり再生条件が入力されれば、コントローラ３４は、ステップＳ２１で選曲結果および購入条件を送信する。一方、ステップＳ１９で“ＮＯ”であれば、つまり再生条件が入力されなければ、コントローラ３４は、ステップＳ２３で選曲結果のみを送信する。
【００５３】
したがって、ステップＳ２５では、ＣＰＵ１４０ａは選曲結果等（選曲結果と購入条件との両方または選曲結果のみ）を受信し、ＲＡＭ８０ｂに記憶する。続いて、ＣＰＵ１４０ａは、ステップＳ２７で選曲結果等に従ってコンテンツＩＤ、ＡＣおよびダウンロードサーバ１３０のアクセスポイント(DAP) への接続情報(DAP-TEL) をＨＤＤ１４４から取得する。ここで、コンテンツＩＤとは、音楽データ（コンテンツデータ）を識別するためのコードである。また、ＡＣとは、ライセンス要求情報をいい、このライセンス要求情報から音楽データの再生条件が決定される。そして、ＣＰＵ１４０ａは、ステップＳ２９でコンテンツＩＤ、ＡＣおよび接続情報(DAP-TEL) を送信する。つまり、コンテンツＩＤ//ＡＣ//DAP-TEL を送信する。
【００５４】
なお、Ｘ//Ｙと示してあるのは、上述の実施例と同様に、ＸとＹとを送信または受信することを意味する。以下、この実施例において同様である。
【００５５】
続くステップＳ３１では、コントローラ３４は、コンテンツＩＤ//ＡＣ//DAP-TEL を受信し、ＲＡＭ４４に記憶してから、ステップＳ３３でメニューサーバ１２８との回線を切断する。
【００５６】
次に、コントローラ３４は、図１２に示すステップＳ３５でダウンロード先のダウンロードサーバ２４に電話をかける。つまり、予約情報に含まれる接続情報(DAP-TEL) にダイヤルする。続いて、コントローラ３４はステップＳ３７で接続が確立したかどうかを判断する。ステップＳ３７で“ＮＯ”であれば、つまり接続が確立しなければ、そのままステップＳ３５に戻ってダイヤルをし直す。一方、ステップＳ３７で“ＹＥＳ”であれば、つまり接続が確立すれば、ステップＳ３９でコントローラ６０が証明書付き公開暗号化鍵（｛KPmc(1) ｝KPma）を出力する。なお、この証明書付き公開暗号化鍵（｛KPmc(1) ｝KPma）は、利用者等がアクセスできない鍵メモリ６８に記憶されている。また、公開暗号化鍵(KPmc(1)) はメモリカード４２のクラス（種類または製造ロットなど）固有の公開暗号化鍵である。
【００５７】
続くステップＳ４１では、コントローラ３４はコンテンツＩＤ、ＡＣおよび証明書付き公開暗号化鍵（｛KPmc(1) ｝KPma）を送信する。次にステップＳ４３では、ＣＰＵ１５０ａはコンテンツＩＤ、ＡＣおよび証明書付き公開暗号化鍵（｛KPmc(1) ｝KPma）を受信し、図１３に示すステップＳ４５で証明書付き公開暗号化鍵（｛KPmc(1) ｝KPma）を復号する。
【００５８】
なお、ダウンロードサーバ１３０では、コンピュータ１５０内に予め証明書付き公開暗号化鍵（｛KPmc(1) ｝KPma）を復号するための公開鍵（認証鍵：KPma）を保持しており、この認証鍵（KPma) を用いて証明書付き公開暗号化鍵（｛KPmc(1) ｝KPma）を復号する。また、｛Ｘ｝Ｙと示してあるのは、Ｘを鍵Ｙで復号可能に暗号化した情報であることを意味する。以下、この実施例において、同様である。
【００５９】
ステップＳ４７では、ＣＰＵ１５０ａは、復号した結果から公開暗号化鍵（KPmc(1))が有効かどうかを判断する。このとき、ダウンロードサーバ２４は、認証サーバ２６に問い合わせることにより、その公開暗号化鍵（KPmc(1))が有効かどうかを調査する。
【００６０】
ステップＳ４７で“ＮＯ”であれば、つまり公開暗号化鍵(KPmc(1)) が無効であれば、図１５に示すように、そのまま処理を終了する。一方、ステップＳ４７で“ＹＥＳ”であれば、つまり公開暗号化鍵(KPmc(1)) が有効であれば、ＣＰＵ１５０ａは配信セッションを特定できるコード（トランザクションＩＤ）を生成する。続いて、ステップＳ４９で、ＣＰＵ１５０ａは、セッション固有の共通鍵（Ks1)を発生し、ステップＳ５１で暗号化鍵(KPmc(1)) を用いて非対称なメモリカード４２のメディアクラス固有の秘密復号鍵(Kmc(1))で復号可能な暗号化を施す。つまり、｛Ks１｝Kmc(1)を生成する。そして、ＣＰＵ１５０ａは、ステップＳ５３で、先に生成したトランザクションＩＤと｛Ks１｝Kmc(1)とを送信する。
【００６１】
続くステップＳ５５では、コントローラ３４はトランザクションＩＤと｛Ks１｝Kmc(1)とを受信し、ステップＳ５７でトランザクションＩＤのみを受理する。なお、｛Ks１｝Kmc(1)はそのままコントローラ６０に送信される。したがって、ステップＳ５９で、コントローラ６０は、｛Ks１｝Kmc(1)を受けて、この｛Ks１｝Kmc(1)をメモリカード４２のクラス固有の秘密復号鍵(Kmc(1))で復号し、セッション固有の共通鍵（Ks1)を受理する。なお、メモリカード４２のクラス固有の秘密復号鍵（Kmc(1)) も証明書付き公開暗号化鍵（｛KPmc(1) ｝KPma）と同様に、鍵メモリ６８に予め記憶されている。
【００６２】
次に、コントローラ６０は、ステップＳ６１で、セッション固有の共通鍵（Ks2)を発生し、このセッション固有の共通鍵（Ks2)と公開暗号化鍵（KPm(1)）とをセッション固有の共通鍵（Ks1)で暗号化し、出力する。つまり、｛Ks2// KPm(1)｝ Ks1を生成し、バス３２を介してコントローラ３４に与える。
【００６３】
なお、｛Ｘ//Ｙ｝Ｚと示してあるのは、ＸとＹとをそれぞれ鍵Ｚで復号可能に暗号化した情報であることを意味する。以下、この実施例において、同様である。
【００６４】
そして、コントローラ３４は、ステップＳ６３で｛Ks2// KPm(1)｝ Ks1にトランザクションＩＤを付加し、ステップＳ６５で｛Ks2// KPm(1)｝ Ks1//トランザクションＩＤを送信する。
【００６５】
なお、Ｘ//Ｙと示してあるのは、ＸとＹとをそれぞれ送信または受信することを意味する。以下、この実施例において、同様である。
【００６６】
ＣＰＵ１５０ａでは、ステップＳ６７で｛Ks2// KPm(1)｝ Ks1//トランザクションＩＤを受信し、ステップＳ６９で｛Ks2// KPm(1)｝ Ks1をセッション固有の共通鍵(Ks1) で復号する。したがって、Ks2 とKPm(1)とが得られる。続いて、ＣＰＵ１５０ａは、図１４に示すステップＳ７１で、先に（ステップＳ４３で）取得したコンテンツＩＤに従ってＨＤＤ１５４に記憶されたデータベースからコンテンツ復号鍵（Kc) を取得する。次に、ＣＰＵ１５０ａは、ステップＳ７３でライセンスの発行を特定できる管理コード（ライセンスＩＤ）を生成する。
【００６７】
また、ＣＰＵ１５０ａは、ステップＳ７５で、先に（ステップＳ４３で）取得したＡＣに従って制限情報(AC1) および再生回路４６における制御情報(AC2) とを生成する。制限情報(AC1) は、メモリカード５８に記憶されたコンテンツ復号鍵(Kc)を出力してもよいかどうかを判断するための許可情報、再生回数を制限するための回数制限情報、コンテンツデータの移動に関する制限情報（移動制限情報）およびコンテンツデータの複製回数を制限する複製制限情報などを含む。
【００６８】
なお、回数制限情報は、たとえば２ビットのデータであり、“００”〜“ＦＦ”の間で設定される。回数制限情報が“００”の場合には、再生不可を示し、“ＦＦ”の場合には、再生回数の制限がないことを示す。また、“０１”〜“ＦＥ”の間で再生回数が制限される。正確には、コンテンツ復号鍵(Kc)の出力回数が制限される。
【００６９】
また、この実施例では、コンテンツデータを他のメモリカードに移動したり、複製したりすることがないので、これ以降では、移動制限情報および複製制限情報についての説明は省略する。
【００７０】
一方、制御情報(AC2) は、再生期限などの再生回路側の再生制限を示した情報である。具体的には、再生期限は再生可能な日時などが制限される。
【００７１】
続いて、ＣＰＵ１５０ａは、ステップＳ７７で、ＲＡＭ１５０ｂを用いてコンテンツ復号鍵（Kc) 、制限情報(AC1) 、制御情報(AC2) 、ライセンスＩＤおよびコンテンツＩＤをメモリカード４２固有の復号鍵（Km(1))で復号可能な公開暗号鍵(KPm(1))で暗号化を施す。つまり、｛Kc//AC1// AC2// ライセンスＩＤ//コンテンツＩＤ｝Km(1) を生成する。次にＣＰＵ１５０ａは、ステップＳ７９で、ＲＡＭ１５０ｂを用いて｛Kc//AC1// AC2// ライセンスＩＤ//コンテンツＩＤ｝Km(1) をセッション固有の共通鍵（Ks2)で暗号化する。つまり、｛｛Kc//AC1// AC2// ライセンスＩＤ//コンテンツＩＤ｝Km(1) ｝Ks2 を生成する。そして、ステップＳ８１で、この｛｛Kc//AC1// AC2// ライセンスＩＤ//コンテンツＩＤ｝Km(1) ｝Ks2 を送信する。
【００７２】
したがって、コントローラ３４は、ステップＳ８３で、｛｛Kc//AC1// AC2// ライセンスＩＤ//コンテンツＩＤ｝Km(1) ｝Ks2 を受信し、その後、コントローラ６０に与える。これに応じて、コントローラ６０は、図１５に示すステップＳ８５で、｛｛Kc//AC1// AC2// ライセンスＩＤ//コンテンツＩＤ｝Km(1) ｝Ks2 共通鍵(Ks2) で復号する。したがって、｛Kc//AC1// AC2// ライセンスＩＤ//コンテンツＩＤ｝Km(1) が生成される。次に、コントローラ６０は、ステップＳ８７で、｛Kc//AC1// AC2// ライセンスＩＤ//コンテンツＩＤ｝Km(1) をメモリカード４２固有の秘密復号鍵(Km(1)) で復号する。したがって、コンテンツ復号鍵（Kc) 、制限情報(AC1) 、制御情報(AC2) 、ライセンスＩＤおよびコンテンツＩＤが得られる。続いて、ステップＳ８９で、コントローラ６０は、コンテンツ復号鍵（Kc) 、制限情報(AC1) 、制御情報(AC2) 、ライセンスＩＤおよびコンテンツＩＤをバス６２を介してライセンスメモリ６６に記憶する。
【００７３】
このコンテンツ復号鍵（Kc) 、制限情報(AC1) 、制御情報(AC2) 、ライセンスＩＤおよびコンテンツＩＤがライセンスメモリ６６に記憶されると、コントローラ３４は、ステップＳ９１で先に（ステップＳ５７で）取得したトランザクションＩＤとデータ送信要求とを送信する。これに応じて、ＣＰＵ１５０ａはＨＤＤ１５４から暗号化されたコンテンツデータ（音楽データ）｛Data｝Kcとその付加情報（Data-inf）とを取得する。なお、付加情報(Data-inf)は、対応するコンテンツデータの著作関連あるいはサーバアクセス関連、タイトル名、歌詞およびジャケットなどの平文情報を含む。続くステップＳ９５では、ＣＰＵ１５０ａは、｛Data｝Kc//Data-infを送信する。
【００７４】
したがって、コントローラ３４は、ステップＳ９７で｛Data｝Kc//Data-infを受信し、その後、コントローラ６０に与える。つまり、コントローラ６０は、ステップＳ９９で、｛Data｝KcおよびData-infをメモリ６４に記憶する。
【００７５】
暗号化された音楽データ｛Data｝Kcおよびその付加情報(Data-inf)の記憶が終了すると、コントローラ３４は、ステップＳ１０１でトランザクションＩＤとデータ受理とを送信し、その後、回線を遮断する。したがって、ＣＰＵ１５０ａは、ステップＳ１０３でトランザクションＩＤとデータ受理とを受信し、処理を終了する。
【００７６】
このように、メニューサーバ１２８から得たダウンロード情報に従って携帯電話機１２はダウンロードサーバ１３０にアクセスし、暗号化された音楽データ、その付加情報および復号鍵などの再生に必要な情報（ライセンス情報）をメモリカード４２にダウンロードすることができる。
【００７７】
また、ダウンロードされた暗号化された音楽データは携帯電話機１２を用いて再生することができる。したがって、再生された音楽データ（再生信号）が出力端子５２に接続されたヘッドフォン１３４を介して出力される。なお、再生信号は、コネクタ２８にも与えられる。また、この再生処理についても、発明者等が先に出願した特願平１１−３４５２２９号に詳細に示されている。
【００７８】
音楽データの再生回路４６は、図１６に示すように、相互認証処理回路４６ａを含む。相互認証処理回路４６ａは、バス３２を介してメモリカード４２と接続され、著作権により保護されたコンテンツ復号鍵(Kc)と制御情報（AC2)とを得るためにメモリカード４２との間で鍵を交換し、相互認証を実行する。また、相互認証処理回路４６ａには、鍵メモリ４６ｂおよびコンテンツ復号処理回路４６ｃが接続される。鍵メモリ４６ｂは、相互認証処理回路４６ａによって扱われる再生回路４６のクラス固有の鍵を記憶している。コンテンツ復号処理回路４６ｃはまた、バス３２を介してメモリカード４２に接続され、メモリカード４２から暗号化された音楽データ（｛Data｝Kc）が与えられる。また、相互認証処理回路４６ａで最終的に得れたコンテンツ復号鍵(Kc)が与えられる。したがって、コンテンツ復号処理回路４６ｃでは、コンテンツ復号鍵(Kc)を用いて暗号化された音楽データ（｛Data｝Kc）が復号（平文化）される。つまり、コンテンツ復号処理回路４６ｃから平文情報としての音楽データ(Data)が出力され、音楽再生処理回路４６ｄに与えられる。音楽再生処理回路４６ｄは、音楽データ(Data)を再生処理し、再生信号を端子５２に出力する。
【００７９】
具体的には、図１７および図１８に示すようなフロー図に従って再生処理が実行される。上述したように、再生処理は携帯電話機１２内のコントローラ３４および再生回路４６とメモリカード４２内のコントローラ６０とが実行するため、図１７および図１８においては、それぞれの動作が分かるように点線で仕切を設けてある。
【００８０】
まず、コントローラ３４は、ステップＳ１１１で利用者によって再生指示が入力されたかどうかを判断する。ステップＳ１１１で“ＮＯ”であれば、つまり再生指示に入力されなければ、同じステップＳ１１１に戻る。一方、ステップＳ１１１で“ＹＥＳ”であれば、つまり再生指示が入力されれば、ステップＳ１１３で鍵メモリ４６ｂに記憶された証明書付き公開暗号化鍵（｛KPp ｝KPma) を読み出し、出力する。
【００８１】
したがって、コントローラ６０は、ステップＳ１１５で証明書付き公開暗号化鍵（｛KPp ｝KPma) を受けて、この証明書付き公開暗号化鍵（｛KPp ｝KPma) を認証鍵(KPma)で復号する。続くステップＳ１１７では、コントローラ６０は、ステップＳ１１５で復号した結果から再生回路４６のクラス固有の公開暗号化鍵(KPp) が有効であるかどうかを判断する。ステップＳ１１７で“ＮＯ”であれば、つまり公開暗号化鍵(KPp) が無効であれば、図１８に示すように、そのまま処理を終了する。一方、ステップＳ１１７で“ＹＥＳ”であれば、つまり公開暗号化鍵(KPp) が有効であれば、コントローラ６０は、ステップＳ１１９でセッション固有の共通鍵(Ks3) を発生し、携帯電話機１２の公開暗号化鍵(KPp) を用いて鍵メモリ４６ｂに保持する公開暗号化鍵(KPp) とは非対称であり、かつ対をなす秘密復号鍵(Kp)で復号可能に暗号化を施す。つまり、｛Ks3 ｝Kpが生成される。そして、コントローラ６０は、ステップＳ１２１で｛Ks3 ｝Kpを出力する。
【００８２】
したがって、コントローラ３４は、ステップＳ１２３で｛Ks3 ｝Kpを受けて、相互認証処理回路４６ａに入力する。そして、相互認証処理回路４６ａは鍵目も降り４６ｂに記憶された秘密復号鍵(Kp)で｛Ks3 ｝Kpを復号（平文化）する。続くステップＳ１２５では、セッション固有の共通鍵(Ks4) を発生し、この共通鍵(Ks4) を共通鍵(Ks3) で暗号化する。つまり、｛Ks4 ｝Ks3 を生成する。続いて、ステップＳ１２７では、この｛Ks4 ｝Ks3 を出力する。
【００８３】
ステップＳ１２９では、コントローラ６０は｛Ks4 ｝Ks3 を受けて、共通鍵(Ks3) で復号する。したがって、共通鍵(Ks4) が得られる。続くステップＳ１３１では、コントローラ６０は、制限情報(AC1) に基づいて再生不可かどうかを判断する。ステップＳ１３１で“ＹＥＳ”であれば、つまりコンテンツ復号鍵(Kc)の出力が許可されていない、またはコンテンツ復号鍵(Kc)の出力が許可されているが回数制限情報が“００”であれば、再生不可であると判断し、図１８に示すように処理を終了する。一方、ステップＳ１３１で“ＮＯ”であれば、つまりコンテンツ復号鍵(Kc)の出力が許可されており、かつ回数制限情報が“００”以外であれば、ステップＳ１３３で再生回数に制限があるかどうかを判断する。
【００８４】
ステップＳ１３３で“ＮＯ”であれば、つまり回数制限情報が“ＦＦ”であり、再生回数に制限がなければ、そのまま図１８に示すステップＳ１３７に進む。一方、ステップＳ１３３で“ＹＥＳ”であれば、つまり回数制限情報が“０１”〜“ＦＥ”であれば、再生回数に制限があると判断し、ステップＳ１３５でライセンスメモリ６６内の制限情報(AC1) を更新してから、すなわち回数制限情報をカウントダウンしてから、ステップＳ１３７に進む。
【００８５】
図１８に示すステップＳ１３７では、コントローラ６０は、ライセンスメモリ６６内のコンテンツ復号鍵(Kc)と再生回路の制御情報(AC2) とを取得し、続くステップＳ１３９で、先に取得したセッション固有の共通鍵(Ks4) でコンテンツ復号鍵(Kc)と再生回路の制御情報(AC2) とを共通鍵(Ks4) で暗号化する。したがって、｛Kc//AC2 ｝Ks4 が生成される。そして、ステップＳ１４１で、コントローラ６０はこの｛Kc//AC2 ｝Ks4 を出力する。
【００８６】
したがって、ステップＳ１４３でコントローラ３４は｛Kc//AC2 ｝Ks4 を取得し、相互認証処理回路４６ａに入力する。そして、コントローラ３４の指示に従って相互認証処理回路４６ａは共通鍵（Ks4)で｛Kc//AC2 ｝Ks4 を復号（平文化）する。復号して得られたコンテンツ復号鍵(Kc)はコンテンツ復号処理回路４６ｃに与えられた、制御情報(AC2) はコントローラ３４に与えられる。
【００８７】
続いて、ステップＳ１４５では、コントローラ３４は制御情報(AC2) に基づいて再生不可かどうかを判断する。つまり、再生回路４６での再生期限が過ぎているかどうかをタイマ３８から与えられる時間情報に基づいて判断する。ステップＳ１４５で“ＹＥＳ”であれば、つまり再生期限が過ぎていれば、そのまま処理を終了する。一方、ステップＳ１４５で“ＮＯ”であれば、つまり再生期限内であれば、ステップＳ１４７で暗号化された音楽データ｛Data｝Kcを出力要求する。すると、ステップＳ１４９で、メモリカード４２内のコントローラ６０は、メモリ６４内の｛Data｝Kcを取得し、出力する。
【００８８】
これに応じてコントローラ３４は、ステップＳ１５１で｛Data｝Kcをコンテンツ復号処理回路４６ｃに入力する。したがって、コンテンツ復号処理回路４６ｃは、コンテンツ復号鍵(Kc)で｛Data｝Kcを復号（平文化）し、再生処理回路４６ｄに音楽データ(Data)を与え、ステップＳ１５３で、再生処理回路４６ｄがこの音楽データ(Data)を再生して、処理を終了する。
【００８９】
このように、暗号化された音楽データを携帯電話機１２で再生することができる。
【００９０】
この実施例によれば、携帯電話機で再生された再生信号を音楽出力装置のスピーカから出力することができ、また音楽出力装置からの操作に応答して携帯電話機で音楽データを再生することができるので、手軽に音楽データを楽しむことができる。また、音楽出力装置から携帯電話機に電圧を付与するので、音楽データを再生することによるバッテリの浪費を防止することができる。つまり、携帯電話機の通話可能な時間を圧迫することがない。また、音楽データを再生しない場合には、バッテリを充電することができる。
【００９１】
なお、この実施例では、音楽出力装置は携帯電話機で再生信号のみを出力するように示しているが、さらにカセットテープ、ＣＤ、ＭＤなどの再生装置で再生された音楽データを出力できるようにしてもよい。つまり、音楽出力装置をカセットテーププレーヤ、ＣＤプレーヤまたはＭＤプレーヤに内蔵するようにしてもよく、またステレオやいわゆるコンポまたはミニコンポなどに内蔵するようにしてもよい。
【００９２】
また、この実施例では、音楽データをダウンロードサーバからダウンロードするようにしているが、予めメモリカードに記憶された音楽データを再生するようにしてもよい。また、携帯電話機から暗号化された音楽データを出力し、音楽出力装置で暗号化された音楽データを復号し、再生するようにしてもよい。このような場合には、携帯電話機に装着されたメモリカードと音楽出力装置との間で互いが正規の機器であるかを認証するようにすればよい。
【００９３】
さらに、この実施例では、音楽データを記憶するためのメモリカードを設けるようにしたが、著作権により保護されていないフリーの音楽データなどであれば、ＲＡＭなどの内部メモリに記憶しておいて、それを再生するようにしてもよい。
【００９４】
さらにまた、このような音楽出力装置はカーオーディオにも適用できる。たとえば、音楽出力装置を単体で設けることも可能であり、またいわゆるカーステに内蔵するようにしてもよい。つまり、車中では、携帯電話機で再生した音楽データをヘッドフォンを介さずに聞くことができるので、周囲の音なども聞き取ることができる。したがって、ヘッドフォンを装着して音楽を聞く場合に比べてかなり安全性が高い。
【００９５】
このように、音楽出力装置１４をカーディオに適用する場合には、図１９に示すように、ハンズフリーで通話する場合も想定して、音楽出力装置１４の操作パネル７４にさらに着呼操作のためのボタン７４ｆが設けられる。また、音声（送話信号）を入力するためのマイク８２およびコネクタ８０に送話信号を出力するための端子８０ｇが設けられる。なお、端子８０ｇは図示は省略しているが、後述するコネクタ２８に設ける端子２８ｇ（図示せず）との対応関係を明確にするため、番号を添えてある。
【００９６】
また、このような場合には、携帯電話機１２は図２０に示すような構成にされる。なお、図２０に示す携帯電話機１２の構成は、図３に示す携帯電話機１２の構成とほぼ同じであるため、重複した説明は省略する。
【００９７】
この携帯電話機１２では、再生回路４６と端子５２との間にスイッチ５６が設けられる。また、コネクタ２８と音声処理回路４８とが接続される。スイッチ５６は、コントローラ３４の指示に従って切り換えられる。具体的には、コントローラ３４は、通話中でなければ、再生回路４６からの出力を選択する。したがって、通話中でない場合には、再生された音楽を聞くことができる。一方、通話中であれば、コントローラ３４は音声処理回路４８からの出力（受話信号）を選択する。また、コネクタ８０からの送話信号を入力するための端子２８ｇがコネクタ２８に設けられ、端子２８ｇから送話信号が音声処理回路４８に与えられる。
【００９８】
また、音楽出力装置１４の電気的な構成が図２１のように示される。この音楽出力装置１４は、図６に示す音楽出力装置１４とほぼ同じであるため、重複した説明は省略する。上述したように、操作パネル７４には、ボタン７４ａが設けられ、またマイク８２が設けられる。マイク８２には、アンプ１１０が接続される。このため、マイク８２を介して入力された利用者の音声信号が増幅され、後段のＢＰＦ１１２に与えられる。ＢＰＦ１１２では、入力された音声信号を所定周波数範囲だけ通過させる。つまり、音声信号に含まれる雑音が除去される。雑音が除去された音声信号は、アンプ１１４で増幅され、コネクタ８０に設けられた端子８０ｇに送話信号として与えられる。
【００９９】
したがって、携帯電話機１２側のコネクタ２８に設けられた端子２８ｇから送話信号が入力され、音声処理回路４８にて音声データに変換され、その後、音声データはバス３２および送受信回路３０を介してアンテナ１６から通話相手の携帯電話機に送信される。
【０１００】
このように、携帯電話機および音楽出力装置を構成することにより、ハンズフリーで通話することも可能である。
【０１０１】
なお、図２０から分かるように、携帯電話機１２では、通話相手の受話信号は端子５２に与えられるとともに、コネクタ２８にも与えられる。したがって、音声出力装置１４に設けられたスピーカ７０ａ（または７０ｂ）から通話相手の音声信号（受話信号）を出力することもできる。この場合には、利用者はイアフォンを装着する必要はない。
【０１０２】
しかし、ユーザが単独で車中に存在する場合には、会話の秘匿性は問題にならないが、車中に２人以上存在する場合には、会話の秘匿性が問題となるため、スイッチ５６とコネクタ２８との間にさらにスイッチを設け、必要に応じて通話中は、そのスイッチをオフするようにすればよい。
【符号の説明】
【０１０３】
１０  …音楽再生システム
１２  …携帯電話機
１４  …音楽出力装置
１８，７４  …操作パネル
２０，７２  …ディスプレイ
２６  …バッテリ
２８，８０  …コネクタ
３４，９０  …コントローラ
４２  …メモリカード
４６  …再生回路
４８  …音声処理回路
５２  …電圧制御回路
７０ａ，７０ｂ  …スピーカ
７６  …ソケット部
９８  …充電制御回路
１００  …電源回路
１２０  …ダウンロードシステム
１２２  …無線基地局
１２４  …携帯電話網
１２６  …配信サーバ
１２８  …メニューサーバ
１３０  …ダウンロードサーバ
１３２  …認証サーバ
１４０ａ，１５０ａ  …ＣＰＵ
１４２，１５２  …通信装置
１４４，１５４  …ＨＤＤ 
【図１】
2009134301.tif 000003
【図２】
2009134301.tif 000004
【図３】
2009134301.tif 000005
【図４】
2009134301.tif 000006
【図５】
2009134301.tif 000007
【図６】
2009134301.tif 000008
【図７】
2009134301.tif 000009
【図８】
2009134301.tif 000010
【図９】
2009134301.tif 000011
【図１０】
2009134301.tif 000012
【図１１】
2009134301.tif 000013
【図１２】
2009134301.tif 000014
【図１３】
2009134301.tif 000015
【図１４】
2009134301.tif 000016
【図１５】
2009134301.tif 000017
【図１６】
2009134301.tif 000018
【図１７】
2009134301.tif 000019
【図１８】
2009134301.tif 000020
【図１９】
2009134301.tif 000021
【図２０】
2009134301.tif 000022
【図２１】
2009134301.tif 000023